(57)【要約】【課題】管腔壁のうち測定個所を他の個所と識別できるようにする。【解決手段】励起光を生体組織に投光するとともに、その励起光に起因して生体組織から生じた放射光を受光するプローブ５は、大径孔路５２ａ及び小径孔路５２ｂを有したチューブ５２と、チューブ５２の大径孔路５２ａに挿入された光ファイバー５７と、大径孔路５２ａ内に設けられ、光ファイバー５７の先端面によって出射された励起光をチューブ５２の外の生体組織に投射するとともに、生体組織から生じた放射光を光ファイバー５７の先端面に投射する光学系５８と、チューブ５２の先端部において小径孔路５２ｂに挿入された高周波電極５５と、を備える。【選択図】図３
2012239669.tif 000002
【特許請求の範囲】
【請求項１】
線状に設けられ、線状の先端部から励起光を生体組織に投光するとともに、その励起光に起因して前記生体組織から生じた放射光を線状の先端部で受光するプローブにおいて、
前記プローブの先端部に設けられ、前記生体組織にマークを形成するマーキング機構を備えることを特徴とするプローブ。
【請求項２】
チューブと、
前記チューブに挿入された一本又は複数本の光ファイバーと、
前記チューブの先端部に設けられ、前記光ファイバーの先端面によって出射された前記励起光を前記チューブの外の前記生体組織に投射するとともに、前記生体組織から生じた前記放射光を前記光ファイバーの前記先端面に投射する光学系と、を更に備えることを特徴とする請求項１に記載のプローブ。
【請求項３】
前記チューブが、前記チューブの軸線方向に貫通した第一孔路及び第二孔路を有したマルチルーメンチューブであり、
前記マーキング機構が、高周波電流によって電気焼灼して、焦跡によるマークを前記生体組織に形成する高周波電極であり、
前記光ファイバーが、前記第一孔路に挿入されて前記第一孔路内に保持され、
前記光学系が、前記光ファイバーの先端の先方において前記第一孔路内に保持され、
前記高周波電極が、前記チューブの先端部において前記第二孔路に挿入されていることを特徴とする請求項２に記載のプローブ。
【請求項４】
前記チューブが、前記チューブの軸線方向に貫通した第一孔路と、前記チューブの基端面から前記チューブの先端寄りの周面まで貫通した第二孔路と、を有したマルチルーメンチューブであり、
前記マーキング機構が、高周波電流によって電気焼灼して、焦跡によるマークを前記生体組織に形成する高周波電極であり、
前記光ファイバーが、前記第一孔路に挿入されて前記第一孔路内に保持され、
前記光学系が、前記光ファイバーの先端の先方において前記第一孔路内に保持され、
前記高周波電極が、前記チューブの先端部において前記第二孔路に挿入されていることを特徴とする請求項２に記載のプローブ。
【請求項５】
インナーチューブを更に備え、
前記チューブが、前記チューブの軸線方向に貫通した第一孔路及び第二孔路を有したマルチルーメンチューブであり、
前記マーキング機構が、高周波電流によって電気焼灼して、焦跡によるマークを前記生体組織に形成する高周波電極であり、
前記インナーチューブが、前記第一孔路に挿入され、
前記光ファイバーが、前記インナーチューブに挿入されて前記インナーチューブ内に保持され、
前記光学系が、前記光ファイバーの先端の先方において前記インナーチューブ内に保持され、
前記高周波電極が、前記チューブの先端部において前記第二孔路に挿入されていることを特徴とする請求項２に記載のプローブ。
【請求項６】
前記高周波電極が、前記チューブの先端部における前記第二孔路の開口から突出していることを特徴とする請求項３から５の何れか一項に記載のプローブ。
【請求項７】
前記チューブの基端面における前記第二孔路の開口から前記第二孔路に挿入され、前記高周波電極に接続され、前記高周波電極に高周波電流を供給する高周波ケーブルを更に備えることを特徴とする請求項３から６の何れか一項に記載のプローブ。
【請求項８】
インナーチューブを更に備え、
前記チューブが、前記チューブの軸線方向に貫通した孔路を有したシングルルーメンチューブであり、
前記マーキング機構が、高周波電流によって電気焼灼して、焦跡によるマークを前記生体組織に形成する高周波電極であり、
前記インナーチューブが、前記孔路に挿入され、
前記光ファイバーが、前記インナーチューブに挿入されて前記インナーチューブ内に保持され、
前記光学系が、前記光ファイバーの先端の先方において前記インナーチューブ内に保持され、
前記高周波電極が、前記チューブの先端部において前記孔路に挿入されていることを特徴とする請求項２に記載のプローブ。
【請求項９】
前記高周波電極が、前記チューブの先端部における前記孔路の開口から突出していることを特徴とする請求項８に記載のプローブ。
【請求項１０】
前記チューブが、前記チューブの軸線方向に貫通した孔路を有したシングルルーメンチューブであり、
前記マーキング機構が、高周波電流によって電気焼灼して、焦跡によるマークを前記生体組織に形成する高周波電極であり、
前記光ファイバーが、前記孔路に挿入されて前記孔路内に保持され、
前記光学系が、前記光ファイバーの先端の先方において前記孔路内に保持され、
前記高周波電極が、前記チューブの先端部において前記孔路に挿入されていることを特徴とする請求項２に記載のプローブ。
【請求項１１】
リング状の防汚カバーが前記チューブの先端開口の内周面から内側に出っ張るように設けられ、
保持孔が前記防汚カバーを貫通し、
前記高周波電極の先端部が前記保持孔に嵌め込まれて保持されていることを特徴とする請求項１０に記載のプローブ。
【請求項１２】
前記高周波電極の先端が前記保持孔から突出していることを特徴とする請求項１１に記載のプローブ。
【請求項１３】
前記チューブの基端面における前記孔路の開口から前記孔路に挿入され、前記高周波電極に接続され、前記高周波電極に高周波電流を供給する高周波ケーブルを更に備えることを特徴とする請求項８から１２の何れか一項に記載のプローブ。
【請求項１４】
前記チューブが、前記チューブの軸線方向に貫通した第一孔路と、前記チューブの軸線方向に貫通するとともに、染料を流通する第二孔路と、を有したマルチルーメンチューブであり、
前記光ファイバーが、前記第一孔路に挿入されて前記第一孔路内に保持され、
前記光学系が、前記光ファイバーの先端の先方において前記第一孔路内に保持され、
前記マーキング機構が、前記第二孔路によって流通された前記染料を前記第二孔路の先端開口から吐出して、前記染料の染色によるマークを前記生体組織に形成することを特徴とする請求項２に記載のプローブ。
【請求項１５】
前記チューブが、前記チューブの軸線方向に貫通した第一孔路と、前記チューブの基端面から前記チューブの先端寄りの周面まで貫通し、染料を流通させる第二孔路と、を有したマルチルーメンチューブであり、
前記光ファイバーが、前記第一孔路に挿入されて前記第一孔路内に保持され、
前記光学系が、前記光ファイバーの先端の先方において前記第一孔路内に保持され、
前記マーキング機構が、前記第二孔路によって流通された前記染料を前記第二孔路の先端開口から吐出して、前記染料の染色によるマークを前記生体組織に形成することを特徴とする請求項２に記載のプローブ。
【請求項１６】
インナーチューブを更に備え、
前記チューブが、前記チューブの軸線方向に貫通した第一孔路と、前記チューブの軸線方向に貫通し、染料を流通する第二孔路と、を有したマルチルーメンチューブであり、
前記インナーチューブが、前記第一孔路に挿入され、
前記光ファイバーが、前記インナーチューブに挿入されて前記インナーチューブ内に保持され、
前記光学系が、前記光ファイバーの先端の先方において前記インナーチューブ内に保持され、
前記マーキング機構が、前記第二孔路によって流通された前記染料を前記第二孔路の先端開口から吐出して、前記染料の染色によるマークを前記生体組織に形成することを特徴とする請求項２に記載のプローブ。
【請求項１７】
前記マーキング機構が、前記第二孔路の先端開口を閉塞し、前記第二孔路の先端開口から吐出された前記染料を吸収する吸収材を有することを特徴とする請求項１４から１６の何れか一項に記載のプローブ。
【請求項１８】
インナーチューブを更に備え、
前記チューブが、前記チューブの軸線方向に貫通した第一孔路及び第二孔路を有したマルチルーメンチューブであり、
前記インナーチューブが、前記第一孔路に挿入され、
前記光ファイバーが、前記インナーチューブに挿入されて前記インナーチューブ内に保持され、
前記光学系が、前記光ファイバーの先端の先方において前記インナーチューブ内に保持され、
前記マーキング機構が、前記第二孔路に挿入され、染料を流通する染料流通チューブを有し、
前記マーキング機構が、前記染料流通チューブによって流通された前記染料を前記染料流通チューブの先端開口から吐出して、前記染料の染色によるマークを前記生体組織に形成することを特徴とする請求項２に記載のプローブ。
【請求項１９】
インナーチューブを更に備え、
前記チューブが、前記チューブの軸線方向に貫通した孔路を有したシングルルーメンチューブであり、
前記インナーチューブが、前記孔路に挿入され、
前記光ファイバーが、前記インナーチューブに挿入されて前記インナーチューブ内に保持され、
前記光学系が、前記光ファイバーの先端の先方において前記インナーチューブ内に保持され、
前記マーキング機構が、前記孔路に挿入され、染料が流通する染料流通チューブを有し、
前記マーキング機構が、前記染料流通チューブによって流通された前記染料を前記染料流通チューブの先端開口から吐出して、前記染料の染色によるマークを前記生体組織に形成することを特徴とする請求項２に記載のプローブ。
【請求項２０】
前記チューブが、前記チューブの軸線方向に貫通した孔路を有したシングルルーメンチューブであり、
前記光ファイバーが、前記孔路に挿入されて前記孔路内に保持され、
前記光学系が、前記光ファイバーの先端の先方において前記孔路内に保持され、
前記マーキング機構が、前記孔路に挿入され、染料が流通する染料流通チューブを有し、
前記マーキング機構が、前記染料流通チューブによって流通された前記染料を前記染料流通チューブの先端開口から吐出して、前記染料の染色によるマークを前記生体組織に形成することを特徴とする請求項２に記載のプローブ。
【請求項２１】
リング状の防汚カバーが前記チューブの先端開口の内周面から内側に出っ張るように設けられ、
保持孔が前記防汚カバーを貫通し、
前記染料流通チューブの先端部が前記保持孔に嵌め込まれて保持されていることを特徴とする請求項２０に記載のプローブ。
【請求項２２】
前記マーキング機構が、前記染料流通チューブの先端開口を閉塞し、前記染料流通チューブの先端開口から吐出された前記染料を吸収する吸収材を有することを特徴とする請求項１８から２１の何れか一項に記載のプローブ。
【請求項２３】
前記光学系がレンズを有することを特徴とする請求項２から２２の何れか一項に記載のプローブ。
【請求項２４】
前記光学系が反射面を有することを特徴とする請求項２から２２の何れか一項に記載のプローブ。
【請求項２５】
請求項７又は１３に記載のプローブと、
前記光ファイバーの基端に励起光を供給する励起光光源と、
前記光ファイバーの先端に入射され、前記光ファイバーを導光して、前記光ファイバーの基端から出射された放射光の強度を波長ごとに測定する分光器と、
前記高周波ケーブルに接続され、高周波電流を前記高周波ケーブルを介して前記高周波電極に供給する高周波電流源と、を備える診断システム。
【請求項２６】
請求項１４から１８の何れか一項に記載のプローブと、
前記光ファイバーの基端に励起光を供給する励起光光源と、
前記光ファイバーの先端に入射され、前記光ファイバーを導光して、前記光ファイバーの基端から出射された放射光の強度を波長ごとに測定する分光器と、
前記第二孔路の基端開口に接続された染料流通チューブと、
前記染料流通チューブに接続され、前記染料流通チューブに染料を供給する染料供給器と、を備える診断システム。
【請求項２７】
請求項１９から２２の何れか一項に記載のプローブと、
前記光ファイバーの基端に励起光を供給する励起光光源と、
前記光ファイバーの先端に入射され、前記光ファイバーを導光して、前記光ファイバーの基端から出射された放射光の強度を波長ごとに測定する分光器と、
前記染料流通チューブに接続され、前記染料流通チューブに染料を供給する染料供給器と、を備える診断システム。
【発明の詳細な説明】
【技術分野】
【０００１】
本発明は、プローブ及び診断システムに関する。
【背景技術】
【０００２】
生体組織の病変状態を観察するために、様々な技術が提案され、実用化されている。特に、内視鏡は、広く普及している。内視鏡が管腔へ挿入されて、管腔壁の生体組織が内視鏡の先端部から出射した照明光によって照明され、管腔壁の生体組織が内視鏡の先端部で撮影される。内視鏡によって撮影された像は、表示装置及び印刷装置等の出力装置に伝送されて、出力装置から出力される。
【０００３】
また、特許文献１には、撮像ビーム（コヒーレンス光）を周方向に走査することによって管腔壁を周方向に沿って観察する光コヒーレンストモグラフィー装置が開示されている。具体的には、撮像ビームが光コヒーレンストモグラフィー装置の先端部から径方向に照射され、その光コヒーレンストモグラフィー装置の先端部を回転させることで撮像ビームを周方向に走査する。また、特許文献１に記載の光コヒーレンストモグラフィー装置は、管腔壁をレーザービームによって焼灼することができる。つまり、レーザービームが光コヒーレンストモグラフィー装置の先端部から径方向に照射され、その光コヒーレンストモグラフィー装置の先端部を回転させることでレーザービームを周方向に走査することによって、管腔壁を周方向に治療することができる。
【０００４】
内視鏡や光コヒーレンストモグラフィー装置を用いた画像診断だけでなく、管腔壁の生体組織から発した放射光（例えば、蛍光）を用いて診断を行う技術が提案されている。放射光を用いて診断を行うためには、管腔壁の生体組織から放射光が発するようにその生体組織に励起光（例えば、紫外線）を照射し、発生した放射光の波長や強度を分析する。そのような診断を行うべく、プローブが開発されており、そのプローブが生体組織の変性や癌等の疾患状態（例えば、疾患の種類や浸潤範囲）の診断に用いられている。
【０００５】
プローブは可撓性のチューブ、励起光用光ファイバー及び放射光用光ファイバー等を有し、励起光用光ファイバー及び放射光用光ファイバーがチューブ内で保持されている。プローブの使用時には、プローブを内視鏡の鉗子口に挿入し、プローブの先端部を内視鏡の先端から突出させる。そして、励起光光源が発光すると、その励起光が励起光用光ファイバーの基端に入射され、その励起光が励起光用光ファイバーによって基端から先端へ導光されて、その先端によって出射される。これにより、励起光が管腔壁の生体組織に照射され、その生体組織から放射光が発する。生体組織から発した放射光が放射光用光ファイバーの先端に入射され、その放射光が放射光用光ファイバーによって先端から基端へ導光される。放射光用光ファイバーの基端に導光された放射光の波長や強度が測定器によって測定されることで、管腔壁の生体組織の病変の有無等を診断することができる。
【先行技術文献】
【特許文献】
【０００６】
【特許文献１】特表２００９−５３７０２４号公報
【発明の概要】
【発明が解決しようとする課題】
【０００７】
ところで、管腔壁のうち測定個所を認識する必要がある。例えば、励起光・放射光によって管腔壁の或る個所を測定した結果、その個所に病変が確認されたら、測定後にその病変個所を治療するために、その病変個所を他と識別する必要がある。また、励起光・放射光によって管腔壁の特定個所を測定しようとした場合、その特定個所を他と識別する必要がある。
【０００８】
そこで、本発明が解決しようとする課題は、管腔壁のうち測定個所を他の個所と識別できるようにすることである。
【課題を解決するための手段】
【０００９】
以上の課題を解決するための請求項１に係る発明は、線状に設けられ、線状の先端部から励起光を生体組織に投光するとともに、その励起光に起因して前記生体組織から生じた放射光を線状の先端部で受光するプローブにおいて、前記プローブの先端部に設けられ、前記生体組織にマークを形成するマーキング機構を備えることを特徴とするプローブである。
【００１０】
請求項２に係る発明は、チューブと、前記チューブに挿入された一本又は複数本の光ファイバーと、前記チューブの先端部に設けられ、前記光ファイバーの先端面によって出射された前記励起光を前記チューブの外の前記生体組織に投射するとともに、前記生体組織から生じた前記放射光を前記光ファイバーの前記先端面に投射する光学系と、を更に備えることを特徴とする請求項１に記載のプローブである。
【００１１】
請求項３に係る発明は、前記チューブが、前記チューブの軸線方向に貫通した第一孔路及び第二孔路を有したマルチルーメンチューブであり、前記マーキング機構が、高周波電流によって電気焼灼して、焦跡によるマークを前記生体組織に形成する高周波電極であり、前記光ファイバーが、前記第一孔路に挿入されて前記第一孔路内に保持され、前記光学系が、前記光ファイバーの先端の先方において前記第一孔路内に保持され、前記高周波電極が、前記チューブの先端部において前記第二孔路に挿入されていることを特徴とする請求項２に記載のプローブである。
【００１２】
請求項４に係る発明は、前記チューブが、前記チューブの軸線方向に貫通した第一孔路と、前記チューブの基端面から前記チューブの先端寄りの周面まで貫通した第二孔路と、を有したマルチルーメンチューブであり、前記マーキング機構が、高周波電流によって電気焼灼して、焦跡によるマークを前記生体組織に形成する高周波電極であり、前記光ファイバーが、前記第一孔路に挿入されて前記第一孔路内に保持され、前記光学系が、前記光ファイバーの先端の先方において前記第一孔路内に保持され、前記高周波電極が、前記チューブの先端部において前記第二孔路に挿入されていることを特徴とする請求項２に記載のプローブである。
【００１３】
請求項５に係る発明は、インナーチューブを更に備え、前記チューブが、前記チューブの軸線方向に貫通した第一孔路及び第二孔路を有したマルチルーメンチューブであり、
前記マーキング機構が、高周波電流によって電気焼灼して、焦跡によるマークを前記生体組織に形成する高周波電極であり、前記インナーチューブが、前記第一孔路に挿入され、前記光ファイバーが、前記インナーチューブに挿入されて前記インナーチューブ内に保持され、前記光学系が、前記光ファイバーの先端の先方において前記インナーチューブ内に保持され、前記高周波電極が、前記チューブの先端部において前記第二孔路に挿入されていることを特徴とする請求項２に記載のプローブである。
【００１４】
請求項６に係る発明は、前記高周波電極が、前記チューブの先端部における前記第二孔路の開口から突出していることを特徴とする請求項３から５の何れか一項に記載のプローブである。
【００１５】
請求項７に係る発明は、前記チューブの基端面における前記第二孔路の開口から前記第二孔路に挿入され、前記高周波電極に接続され、前記高周波電極に高周波電流を供給する高周波ケーブルを更に備えることを特徴とする請求項３から６の何れか一項に記載のプローブである。
【００１６】
請求項８に係る発明は、インナーチューブを更に備え、前記チューブが、前記チューブの軸線方向に貫通した孔路を有したシングルルーメンチューブであり、前記マーキング機構が、高周波電流によって電気焼灼して、焦跡によるマークを前記生体組織に形成する高周波電極であり、前記インナーチューブが、前記孔路に挿入され、前記光ファイバーが、前記インナーチューブに挿入されて前記インナーチューブ内に保持され、前記光学系が、前記光ファイバーの先端の先方において前記インナーチューブ内に保持され、前記高周波電極が、前記チューブの先端部において前記孔路に挿入されていることを特徴とする請求項２に記載のプローブである。
【００１７】
請求項９に係る発明は、前記高周波電極が、前記チューブの先端部における前記孔路の開口から突出していることを特徴とする請求項８に記載のプローブである。
【００１８】
請求項１０に係る発明は、前記チューブが、前記チューブの軸線方向に貫通した孔路を有したシングルルーメンチューブであり、前記マーキング機構が、高周波電流によって電気焼灼して、焦跡によるマークを前記生体組織に形成する高周波電極であり、前記光ファイバーが、前記孔路に挿入されて前記孔路内に保持され、前記光学系が、前記光ファイバーの先端の先方において前記孔路内に保持され、前記高周波電極が、前記チューブの先端部において前記孔路に挿入されていることを特徴とする請求項２に記載のプローブである。
【００１９】
請求項１１に係る発明は、リング状の防汚カバーが前記チューブの先端開口の内周面から内側に出っ張るように設けられ、保持孔が前記防汚カバーを貫通し、前記高周波電極の先端部が前記保持孔に嵌め込まれて保持されていることを特徴とする請求項１０に記載のプローブである。
【００２０】
請求項１２に係る発明は、前記高周波電極の先端が前記保持孔から突出していることを特徴とする請求項１１に記載のプローブである。
【００２１】
請求項１３に係る発明は、前記チューブの基端面における前記孔路の開口から前記孔路に挿入され、前記高周波電極に接続され、前記高周波電極に高周波電流を供給する高周波ケーブルを更に備えることを特徴とする請求項８から１２の何れか一項に記載のプローブである。
【００２２】
請求項１４に係る発明は、前記チューブが、前記チューブの軸線方向に貫通した第一孔路と、前記チューブの軸線方向に貫通するとともに、染料を流通する第二孔路と、を有したマルチルーメンチューブであり、前記光ファイバーが、前記第一孔路に挿入されて前記第一孔路内に保持され、前記光学系が、前記光ファイバーの先端の先方において前記第一孔路内に保持され、前記マーキング機構が、前記第二孔路によって流通された前記染料を前記第二孔路の先端開口から吐出して、前記染料の染色によるマークを前記生体組織に形成することを特徴とする請求項２に記載のプローブである。
【００２３】
請求項１５に係る発明は、前記チューブが、前記チューブの軸線方向に貫通した第一孔路と、前記チューブの基端面から前記チューブの先端寄りの周面まで貫通し、染料を流通させる第二孔路と、を有したマルチルーメンチューブであり、前記光ファイバーが、前記第一孔路に挿入されて前記第一孔路内に保持され、前記光学系が、前記光ファイバーの先端の先方において前記第一孔路内に保持され、前記マーキング機構が、前記第二孔路によって流通された前記染料を前記第二孔路の先端開口から吐出して、前記染料の染色によるマークを前記生体組織に形成することを特徴とする請求項２に記載のプローブである。
【００２４】
請求項１６に係る発明は、インナーチューブを更に備え、前記チューブが、前記チューブの軸線方向に貫通した第一孔路と、前記チューブの軸線方向に貫通し、染料を流通する第二孔路と、を有したマルチルーメンチューブであり、前記インナーチューブが、前記第一孔路に挿入され、前記光ファイバーが、前記インナーチューブに挿入されて前記インナーチューブ内に保持され、前記光学系が、前記光ファイバーの先端の先方において前記インナーチューブ内に保持され、前記マーキング機構が、前記第二孔路によって流通された前記染料を前記第二孔路の先端開口から吐出して、前記染料の染色によるマークを前記生体組織に形成することを特徴とする請求項２に記載のプローブである。
【００２５】
請求項１７に係る発明は、前記マーキング機構が、前記第二孔路の先端開口を閉塞し、前記第二孔路の先端開口から吐出された前記染料を吸収する吸収材を有することを特徴とする請求項１４から１６の何れか一項に記載のプローブである。
【００２６】
請求項１８に係る発明は、インナーチューブを更に備え、前記チューブが、前記チューブの軸線方向に貫通した第一孔路及び第二孔路を有したマルチルーメンチューブであり、
前記インナーチューブが、前記第一孔路に挿入され、前記光ファイバーが、前記インナーチューブに挿入されて前記インナーチューブ内に保持され、前記光学系が、前記光ファイバーの先端の先方において前記インナーチューブ内に保持され、前記マーキング機構が、前記第二孔路に挿入され、染料を流通する染料流通チューブを有し、前記マーキング機構が、前記染料流通チューブによって流通された前記染料を前記染料流通チューブの先端開口から吐出して、前記染料の染色によるマークを前記生体組織に形成することを特徴とする請求項２に記載のプローブである。
【００２７】
請求項１９に係る発明は、インナーチューブを更に備え、前記チューブが、前記チューブの軸線方向に貫通した孔路を有したシングルルーメンチューブであり、前記インナーチューブが、前記孔路に挿入され、前記光ファイバーが、前記インナーチューブに挿入されて前記インナーチューブ内に保持され、前記光学系が、前記光ファイバーの先端の先方において前記インナーチューブ内に保持され、前記マーキング機構が、前記孔路に挿入され、染料が流通する染料流通チューブを有し、前記マーキング機構が、前記染料流通チューブによって流通された前記染料を前記染料流通チューブの先端開口から吐出して、前記染料の染色によるマークを前記生体組織に形成することを特徴とする請求項２に記載のプローブである。
【００２８】
請求項２０に係る発明は、前記チューブが、前記チューブの軸線方向に貫通した孔路を有したシングルルーメンチューブであり、前記光ファイバーが、前記孔路に挿入されて前記孔路内に保持され、前記光学系が、前記光ファイバーの先端の先方において前記孔路内に保持され、前記マーキング機構が、前記孔路に挿入され、染料が流通する染料流通チューブを有し、前記マーキング機構が、前記染料流通チューブによって流通された前記染料を前記染料流通チューブの先端開口から吐出して、前記染料の染色によるマークを前記生体組織に形成することを特徴とする請求項２に記載のプローブである。
【００２９】
請求項２１に係る発明は、リング状の防汚カバーが前記チューブの先端開口の内周面から内側に出っ張るように設けられ、保持孔が前記防汚カバーを貫通し、前記染料流通チューブの先端部が前記保持孔に嵌め込まれて保持されていることを特徴とする請求項２０に記載のプローブである。
【００３０】
請求項２２に係る発明は、前記マーキング機構が、前記染料流通チューブの先端開口を閉塞し、前記染料流通チューブの先端開口から吐出された前記染料を吸収する吸収材を有することを特徴とする請求項１８から２１の何れか一項に記載のプローブである。
【００３１】
請求項２３に係る発明は、前記光学系がレンズを有することを特徴とする請求項２から２２の何れか一項に記載のプローブである。
【００３２】
請求項２４に係る発明は、前記光学系が反射面を有することを特徴とする請求項２から２２の何れか一項に記載のプローブである。
【００３３】
請求項２５に係る発明は、請求項７又は１３に記載のプローブと、前記光ファイバーの基端に励起光を供給する励起光光源と、前記光ファイバーの先端に入射され、前記光ファイバーを導光して、前記光ファイバーの基端から出射された放射光の強度を波長ごとに測定する分光器と、前記高周波ケーブルに接続され、高周波電流を前記高周波ケーブルを介して前記高周波電極に供給する高周波電流源と、を備える診断システムである。
【００３４】
請求項２６に係る発明は、請求項１４から１８の何れか一項に記載のプローブと、前記光ファイバーの基端に励起光を供給する励起光光源と、前記光ファイバーの先端に入射され、前記光ファイバーを導光して、前記光ファイバーの基端から出射された放射光の強度を波長ごとに測定する分光器と、前記第二孔路の基端開口に接続された染料流通チューブと、前記染料流通チューブに接続され、前記染料流通チューブに染料を供給する染料供給器と、を備える診断システムである。
【００３５】
請求項２７に係る発明は、請求項１９から２２の何れか一項に記載のプローブと、前記光ファイバーの基端に励起光を供給する励起光光源と、前記光ファイバーの先端に入射され、前記光ファイバーを導光して、前記光ファイバーの基端から出射された放射光の強度を波長ごとに測定する分光器と、前記染料流通チューブに接続され、前記染料流通チューブに染料を供給する染料供給器と、を備える診断システムである。
【発明の効果】
【００３６】
本発明によれば、プローブの先端部に設けられたマーキング機構によって生体組織にマークが形成されるから、マークが形成された個所と他の個所を識別することができる。
また、マーキング機構がチューブの先端部に設けられ、光ファイバーがチューブに挿入されているから、チューブを管腔壁に当てることで、マーキング機構と光ファイバーの位置を安定させることができる。そのため、光学系によって励起光が投射された測定個所と、マークが形成された個所を同じ位置又は近傍位置にすることができる。
【図面の簡単な説明】
【００３７】
【図１】本発明の第一実施形態に係る診断システムの構成図である。
【図２】同実施形態に係る内視鏡の先端部の斜視図である。
【図３】同実施形態に係るプローブの先端部構造の第一形態の断面図及び斜視図である。
【図４】同実施形態に係るプローブの先端部構造の第二形態の断面図である。
【図５】同実施形態に係るプローブの先端部構造の第三形態の断面図である。
【図６】同実施形態に係るプローブの先端部構造の第四形態の断面図である。
【図７】同実施形態に係るプローブの先端部構造の第五形態の断面図及び斜視図である。
【図８】同実施形態に係るプローブの先端部構造の第六形態の断面図及び斜視図である。
【図９】同実施形態に係るプローブの先端部構造の第七形態の断面図及び斜視図である。
【図１０】同実施形態に係るプローブの先端部構造の第八形態の断面図及び斜視図である。
【図１１】同実施形態に係るプローブの先端部構造の第九形態の断面図及び斜視図である。
【図１２】同実施形態に係るプローブの先端部構造の第十形態の斜視図及び断面図である。
【図１３】本発明の第二実施形態に係る診断システムの構成図である。
【図１４】同実施形態に係るプローブの先端部構造の第一形態の断面図及び斜視図である。
【図１５】同実施形態に係るプローブの先端部構造の第二形態の断面図及び斜視図である。
【図１６】同実施形態に係るプローブの先端部構造の第三形態の断面図及び斜視図である。
【図１７】同実施形態に係るプローブの先端部構造の第四形態の断面図及び斜視図である。
【図１８】同実施形態に係るプローブの先端部構造の第五形態の断面図及び斜視図である。
【図１９】同実施形態に係るプローブの先端部構造の第六形態の断面図及び斜視図である。
【図２０】同実施形態に係るプローブの先端部構造の第七形態の断面図及び斜視図である。
【図２１】同実施形態に係るプローブの先端部構造の第八形態の斜視図及び断面図である。
【発明を実施するための形態】
【００３８】
以下に、本発明を実施するための形態について図面を用いて説明する。但し、以下に述べる実施形態には、本発明を実施するために技術的に好ましい種々の限定が付されているが、本発明の範囲を以下の実施形態及び図示例に限定するものではない。
【００３９】
＜第１の実施の形態＞
〔全体構成〕
図１は、診断システム１の概略構成図である。図１に示すように、この診断システム１は、内視鏡診断システムと蛍光診断システムを組み合わせたものである。つまり、この診断システム１は、内視鏡２、内視鏡プロセッサ３、内視鏡表示モニタ４、プローブ５、ベースユニット６、出力装置７及び入力装置８を備える。
【００４０】
内視鏡２の挿入部２ａが内視鏡２の操作部２ｂから延び出ている。診断システム１の使用時には、挿入部２ａが管腔に挿入される。
【００４１】
図２は、挿入部２ａの先端部の斜視図である。図２に示すように、挿入部２ａの先端部には、電子カメラ２ｃが内蔵されている。図１に示すように、伝送ケーブル２ｄの一端部が内視鏡プロセッサ３に接続され、伝送ケーブル２ｄの一部が内視鏡プロセッサ３から操作部２ｂに架け渡され、伝送ケーブル２ｄの他の一部が挿入部２ａの長手方向に沿って挿入部２ａの内部に設けられ、伝送ケーブル２ｄの他端部が電子カメラ２ｃに接続されている。伝送ケーブル２ｄは、電子カメラ２ｃによって撮像された画像の信号を電子カメラ２ｃから内視鏡プロセッサ３に伝送する。内視鏡プロセッサ３は、伝送された画像信号を内視鏡表示モニタ４に出力する。内視鏡表示モニタ４が、内視鏡プロセッサ３から画像信号を入力するとともに、その画像信号に従った画像を表示する。
【００４２】
図２に示すように、送気送水チャネル２ｅが挿入部２ａの長手方向に沿って挿入部２ａに設けられ、送気送水チャネル２ｅの端が挿入部２ａの先端面で開口している。ライトガイド２ｆの端が挿入部２ａの先端面に設けられ、ライトガイド２ｆが挿入部２ａの長手方向に沿って挿入部２ａの内部に配策され、ライトガイド２ｆの他端部が内視鏡プロセッサ３の照明光源に接続されている。内視鏡プロセッサ３の照明光源が点灯すると、ライトガイド２ｆが照明光源から発した光を先端まで導光して、ライトガイド２ｆの先端がその照明光を出射させる。
【００４３】
図２に示すように、鉗子用チャネル２ｇが挿入部２ａの長手方向に沿って挿入部２ａに設けられ、鉗子用チャネル２ｇの一端が挿入部２ａの先端面で開口している。図１に示すように、鉗子用チャネル２ｇの他端が操作部２ｂで開口し、その他端の開口が鉗子口２ｈである。
【００４４】
図１に示すように、プローブ５は線状に設けられている。そして、プローブ５は経内視鏡的に使用される。すなわち、プローブ５は内視鏡２の鉗子口２ｈから鉗子用チャネル２ｇを通って体腔内に挿入される。図２に示すように、プローブ５のチューブ５２が挿入部２ａの先端において鉗子用チャネル２ｇから突出している。図１に示すように、プローブ５の基端部にコネクタ５３が設けられ、そのコネクタ５３がベースユニット６に接続されている。
【００４５】
プローブ５の先端部を図３に示す。図３（ａ）はプローブ５の先端部の断面図であり、図３（ｂ）はプローブ５の先端部の斜視図である。プローブ５は、線状の先端部から励起光（例えば、紫外線）を投光するとともに、励起光に起因して生じた放射光（例えば、蛍光、ラマン散乱光）を線状の先端部で受光する。
【００４６】
図１及び図３に示すように、プローブ５は、可撓性チューブ５１（図１参照）、チューブ５２（図１及び図３参照）、コネクタ５３（図１参照）、高周波ケーブル５４（図１参照）、高周波電極５５（図３参照）、コネクタ５６（図１参照）、一本又は複数本の光ファイバー５７（図３参照）及び光学系５８（図３参照）等を備える。
【００４７】
図１に示すように、可撓性チューブ５１の基端部がコネクタ５３に取り付けられ、可撓性チューブ５１がコネクタ５３から延出している。チューブ５２の基端部が可撓性チューブ５１の先端部に接続されている。光学系５８がチューブ５２内に設けられている。プローブ５の先端部構造についての説明は、後に詳述する。
【００４８】
一本又は複数本の光ファイバー５７が、コネクタ５６からチューブ５２の先端部にかけて可撓性チューブ５１及びチューブ５２内に通されている。
【００４９】
高周波ケーブル５４の先端寄り部分は、チューブ５２と可撓性チューブ５１の接合部からチューブ５２に挿入されて、チューブ５２の先端部にまでチューブ５２内に通されている。高周波ケーブル５４の基端寄り部分がチューブ５２の基端から延び出てベースユニット６まで配策されている。高周波ケーブル５４の基端部がコネクタ５６に取り付けられ、そのコネクタ５６がベースユニット６に接続されている。高周波ケーブル５４の先端部に高周波電極５５が接続されている。
【００５０】
ベースユニット６は、照明用光源６ａ、励起光光源６ｂ、分光器６ｃ、高周波電流源６ｄ及びコンピュータ６ｅを備える。
【００５１】
ベースユニット６は筐体を有し、照明用光源６ａ、励起光光源６ｂ、分光器６ｃ、高周波電流源６ｄ及びコンピュータ６ｅの全てが筐体内に取り付けられている。なお、照明用光源６ａ、励起光光源６ｂ、分光器６ｃ、高周波電流源６ｄ及びコンピュータ６ｅのうち何れか一つ又は二以上のものが筐体の外に設けられていてもよい。
【００５２】
照明用光源６ａは、照明光（例えば、可視光）を発する。照明用光源６ａは、キセノンランプ、ハロゲンランプ、重水素ランプ、ＬＥＤ（発光ダイオード）、ＬＤ（レーザーダイオード）、レーザー光源その他の照明光発光光源である。プローブ５のコネクタ５３がベースユニット６に接続されると、光ファイバー５７の基端面が照明用光源６ａに対向又は接触する。照明用光源６ａが点灯すると、照明用光源６ａが照明光を光ファイバー５７に供給する。なお、照明用光源６ａから発した照明光が、レンズ、ミラー若しくはフィルタ又はこれらのうち２以上のものの組み合わせからなる光学系によって光ファイバー５７に投射されてもよい。
【００５３】
光ファイバー５７の基端面が照明用光源６ａの照明光を取り込み、光ファイバー５７が取り込んだ照明光を光ファイバー５７の基端面から先端面にまで導光し、光ファイバー５７の先端面が照明光を出射する。光学系５８が光ファイバー５７の先端面によって出射された照明光を投射する。これにより、プローブ５の先端部の周辺の管腔が照明される。
【００５４】
励起光光源６ｂは、励起光を発する。励起光光源６ｂは、キセノンランプ、ハロゲンランプ、重水素ランプ、ＬＥＤ（発光ダイオード）、ＬＤ（レーザーダイオード）、レーザー光源その他の励起光発光光源である。プローブ５のコネクタ５３がベースユニット６に接続されると、光ファイバー５７の基端面が励起光光源６ｂに対向又は接触する。励起光光源６ｂが点灯すると、励起光光源６ｂが照明光を光ファイバー５７に供給する。なお、励起光光源６ｂから発した励起光が、レンズ、ミラー若しくはフィルタ又はこれらのうち２以上の組み合わせからなる光学系によって光ファイバー５７に投射されてもよい。
【００５５】
光ファイバー５７の基端面が励起光光源６ｂの励起光を取り込み、光ファイバー５７がその励起光を光ファイバー５７の基端面から先端面にまで導光し、光ファイバー５７の先端面が励起光を出射する。光学系５８が光ファイバー５７の先端面によって出射された励起光を投射する。具体的には、光学系５８は、光ファイバー５７の先端面によって出射された励起光を管腔壁の生体組織に集光するか、光ファイバー５７の先端面によって出射された励起光をコリメートして、平行光である励起光を管腔壁の生体組織に投射する。投射された励起光が管腔壁の生体組織に照射されると、放射光がその励起光に起因して生体組織から発する。
【００５６】
生体組織から発した放射光が光学系５８によって光ファイバー５７の先端面に投射される。具体的には、光学系５８は、生体組織から発した放射光を光ファイバー５７の先端面に集光するか、生体組織から発した放射光をコリメートして、平行光である放射光を光ファイバー５７の先端面に投射する。光ファイバー５７の先端面が光学系５８によって投射された放射光を取り込み、光ファイバー５７がその放射光を光ファイバー５７の先端面から基端面にまで導光し、光ファイバー５７の基端面が放射光を出射する。プローブ５のコネクタ５３がベースユニット６に接続されると、光ファイバー５７の基端面が分光器６ｃに接続され、光ファイバー５７の基端面から出射された放射光が分光器６ｃに導かれる。なお、光ファイバー５７の基端面から発した放射光が、レンズ、ミラー若しくはフィルタ又はこれらのうち２以上のものの組み合わせからなる光学系によって分光器６ｃに投射されてもよい。
【００５７】
光ファイバー５７の本数が一本である場合、その光ファイバー５７が励起光導光用と放射光導光用を兼ねている。更に、その光ファイバー５７が照明光導光用を兼ねてもよい。
光ファイバー５７の本数が二本である場合、第一の光ファイバー５７が励起光導光用であり第二の光ファイバー５７が放射光導光用である。第一の光ファイバー５７又は第二の光ファイバー５７が照明光導光用を兼ねてもよい。
光ファイバー５７の本数が三本である場合、第一の光ファイバー５７が励起光導光用であり、第二の光ファイバー５７が放射光導光用であり、第三の光ファイバー５７が照明光導光用である。
なお、光ファイバー５７の本数は四本以上であってもよい。
【００５８】
分光器６ｃは分光素子（例えば、回折格子、プリズム）及び光検出素子（例えば、エリア型ＣＣＤ撮像素子、ライン型ＣＣＤ撮像素子、エリア型ＣＭＯＳ撮像素子、ライン型ＣＭＯＳ撮像素子、フォトダイオード、光電子増倍管、電子管検出器）等を有する。分光器６ｃは、プローブ５によって受光及びガイドされた放射光を分光するとともに、その放射光の強度を波長ごとに測定する。分光器６ｃは、測定した波長ごとの強度（以下、スペクトルデータという。）をコンピュータ６ｅに出力する。
【００５９】
高周波電流源６ｄは、高周波電流を発生させて、その高周波電流を高周波ケーブル５４に供給する。高周波電流源６ｄが発生させる高周波電流の周波数は、１００ｋＨｚ〜１０ＭＨｚである。高周波電流源６ｄには、電気メス等の高周波処置具の電流源を利用することも可能であり、レーザー焼灼の場合と異なり、コストやスペースの観点から導入が容易になる。
【００６０】
高周波ケーブル５４は、高周波電流源６ｄによって供給された高周波電流を先端部の高周波電極５５に給電する。高周波ケーブル５４の先端部に接続された高周波電極５５が高周波電流によって電気焼灼をする。つまり、高周波電極５５は、高周波電流によって電気焼灼して、焦跡によるマークを管腔壁の生体組織に形成するマーキング機構である。
【００６１】
コンピュータ６ｅはＣＰＵ６ｆ、メモリ６ｇ及び信号処理回路等を備える。コンピュータ６ｅは、分光器６ｃからスペクトルデータを入力する。コンピュータ６ｅは、信号処理回路によってスペクトルデータを信号処理し、波長ごとの強度分布を表す画像（以下、スペクトルイメージデータという。）をスペクトルデータから生成し、そのスペクトルイメージデータを出力装置７に出力する。また、コンピュータ６ｅは、スペクトルデータをメモリ６ｇに記憶する。
【００６２】
また、コンピュータ６ｅは、スペクトルデータを用いて予め決められたアルゴリズムに従って病変の有無や進行度を判断する。コンピュータ６ｅは、その判断結果をメモリ６ｇに記憶する。また、コンピュータ６ｅは、判断結果を表す画像（以下、判断結果イメージデータという。）を生成し、その判断結果イメージデータを出力装置７に出力する。
【００６３】
出力装置７はディスプレイ又はプリンタである。出力装置７は、コンピュータ６ｅによって出力されたスペクトルイメージデータを入力し、そのスペクトルイメージデータを表示又は印刷する。出力装置７は、コンピュータ６ｅによって出力された判断結果イメージデータを入力し、その判断結果イメージデータを表示又は印刷する。
【００６４】
入力装置８は、キーボード、マウス若しくは複数のスイッチ又はこれらの組み合わせである。入力装置８が操作されると、入力装置８が操作内容に応じた信号をコンピュータ６ｅに出力する。
【００６５】
コンピュータ６ｅは、入力装置８から入力した信号に基づいて照明用光源６ａ、励起光光源６ｂ及び高周波電流源６ｄを制御する。例えば、入力装置８が操作されると、コンピュータ６ｅが照明用光源６ａや励起光光源６ｂの点灯・消灯を行う。また、入力装置８が操作されると、コンピュータ６ｅが高周波電流源６ｄの起動・停止を行う。
【００６６】
〔プローブの先端部の構成：その１〕
図３に示すように、チューブ５２がマルチルーメンチューブであり、チューブ５２は並列された大径孔路５２ａ及び小径孔路５２ｂを有する。孔路５２ａ，５２ｂがチューブ５２の先端面５２ｃから基端面までチューブ５２の軸線方向に貫通し、孔路５２ａ，５２ｂの両端がチューブ５２の両端面でそれぞれ開口している。大径孔路５２ａの直径は小径孔路５２ｂの直径よりも大きい。図３に示す形態の場合、大径孔路５２ａが第一孔路であり、小径孔路５２ｂが第二孔路である。
【００６７】
チューブ５２は可撓性を有する。但し、チューブ５２はある程度硬質であり、チューブ５２の先端部が管腔壁等に当たっても、チューブ５２が曲がりにくい。
【００６８】
高周波電極５５が細線状に設けられている。その高周波電極５５がチューブ５２の先端部において小径孔路５２ｂに挿入され、高周波電極５５の先端が小径孔路５２ｂの先端開口から軸線方向へ僅かに突き出ている。高周波電極５５の先端が小径孔路５２ｂの先端開口から突き出ているため、高周波電極５５の先端を管腔壁に突き当てることができる。なお、チューブ５２に形成された小径孔路５２ｂの数が複数であり、高周波電極５５の数も複数であり、高周波電極５５が小径孔路５２ｂにそれぞれ挿入されていてもよい。
【００６９】
高周波電極５５がチューブ５２に対して固定されていてもよいし、高周波電極５５がチューブ５２に対して固定されずに軸線方向に移動可能となっていてもよい。
【００７０】
光ファイバー５７は、可撓性チューブ５１からチューブ５２の大径孔路５２ａに挿入されて、チューブ５２の先端部まで通されている。光ファイバー５７の先端部は、フェルール等によって大径孔路５２ａ内においてチューブ５２の先端部に保持されている。光ファイバー５７と高周波電極５５が別々の孔路に挿入されているから、光ファイバー５７が高周波電極５５に絡むことを防止することができる。
【００７１】
光学系５８が一枚又は複数枚のレンズからなり、光学系５８のレンズがレンズホルダ等によって大径孔路５２ａのうち先端寄りに保持され、チューブ５２の先端面５２ｃにおける大径孔路５２ａの開口がレンズによって閉塞されている。従って、光学系５８のレンズによって投射される光の向きは、チューブ５２の軸線方向である。光学系５８のレンズは正負どちらの屈折力を有するものでもよい。
【００７２】
光学系５８がレンズを有するから、光ファイバー５７の先端面によって出射された励起光や、管腔壁の生体組織から発した放射光が光学系５８のレンズによって集光又はコリメートされる。そのため、放射光の受光量を増大させることができ、より高精度・高速な測定が可能となる。また、光学測定による病変部の観察・診断の性能が向上する。
【００７３】
なお、光学系５８が、光ファイバー５７のうち励起光導光用の光ファイバー５７の先端面によって出射された励起光を投射する励起光用レンズと、生体組織から生じた放射光を光ファイバー５７のうち励起光導光用の光ファイバー５７の先端面に投射する放射光用レンズと、を有してもよい。光学系５８が、光ファイバー５７のうち照明光導光用の光ファイバー５７の先端面によって出射された照明光を投射する照明光用レンズを更に有していてもよい。
【００７４】
図４〜図６に示すように、光学系５８によって投射される光の向きがチューブ５２の径方向であってもよい。
【００７５】
図４に示すように、光学系５８が平面反射面５８ａ及びレンズ５８ｂを有し、平面反射面５８ａがチューブ５２の軸線に対して傾斜して、レンズ５８ｂの光軸がチューブ５２の径方向となっている。平面反射面５８ａは、プリズムの全反射面又はミラーの鏡面である。平面反射面５８ａは、光ファイバー５７の先端面によって出射された励起光や照明光をチューブ５２の径方向に反射し、レンズ５８ｂが、平面反射面５８ａによって反射された励起光や照明光を投射する。光ファイバー５７の先端面によって出射された励起光や、管腔の生体組織から発した放射光がレンズ５８ｂによって集光又はコリメートされるから、放射光の受光量を増大させることができ、より高精度・高速な測定が可能となる。
【００７６】
図５に示すように、光学系５８が平面反射面５８ａを有し、平面反射面５８ａがチューブ５２の軸線に対して傾斜している。平面反射面５８ａは、光ファイバー５７の先端面によって出射された励起光や照明光をチューブ５２の径方向に反射する。
【００７７】
図６に示すように、光学系５８が曲面反射面５８ｃを有する。曲面反射面５８ｃは凹面（例えば、球面、回転楕円面、放物面）である。曲面反射面５８ｃは、光ファイバー５７の先端面によって出射された励起光や照明光をチューブ５２の径方向に反射するとともに、その反射光を集光又はコリメートする。そのため、放射光の受光量を増大させることができ、より高精度・高速な測定が可能となる。
【００７８】
図４〜図６の何れの場合でも、チューブ５２のうち少なくとも平面反射面５８ａ又は曲面反射面５８ｃの反射方向の部分が投光受光窓５２ｗとして透明であり、大径孔路５２ａの先端開口がキャップ５２ｘによって塞がれている。
【００７９】
図４〜図６の何れの場合でも、光学系５８によって投射される光の向きがチューブ５２の径方向であるから、管腔壁の測定を容易に行うことができる。また、作業者が手動又はモータ等でプローブ５を回転させることで、管腔を周方向に連続的に測定することができ、多点測定を容易に行うことができる。
【００８０】
可撓性チューブ５１がチューブ５２と同様にマルチルーメンチューブであってもよいし、シングルルーメンチューブであってもよい。可撓性チューブ５１がマルチルーメンチューブである場合、可撓性チューブ５１が二つの孔路を有し、可撓性チューブ５１の一方の孔路が大径孔路５２ａに連通し、可撓性チューブ５１の他方の孔路が小径孔路５２ｂに連通していてもよい。可撓性チューブ５１がマルチルーメンチューブである場合、可撓性チューブ５１とチューブ５２が一体成型されていてもよいし、可撓性チューブ５１とチューブ５２が別体成型されて、これらが接合されていてもよい。なお、高周波ケーブル５４が、チューブ５２と可撓性チューブ５１の接合部から分岐しているのではなく、チューブ５２の先端部から可撓性チューブ５１の基端部まで通されていてもよい。その場合、コネクタ５６とコネクタ５３が一体化されている。
【００８１】
〔プローブの先端部の構造：その２〕
図７を参照して、プローブ５の先端部の別の形態について説明する。図７（ａ）はプローブ５の先端部の断面図であり、図７（ｂ）はプローブ５の先端部の斜視図である。図７に示す形態と図３に示す形態との間で互いに対応する部分には、同一符号を付す。
【００８２】
図７に示すように、チューブ５２は、図３に示す形態と同様に、ある程度硬質な可撓性のマルチルーメンチューブである。図３に示す形態と同様に、大径孔路５２ａがチューブ５２の先端面５２ｃから基端面までチューブ５２の軸線方向に貫通し、大径孔路５２ａの両端がチューブ５２の両端面でそれぞれ開口している。一方、小径孔路５２ｂの基端側はチューブ５２の基端面において開口しているが、小径孔路５２ｂの先端はチューブ５２の先端面において開口していない。小径孔路５２ｂの先端は、チューブ５２の先端寄りの周面において開口している。なお、図７に示す形態の場合、大径孔路５２ａが第一孔路であり、小径孔路５２ｂが第二孔路である。
【００８３】
細線状の高周波電極５５が可撓性チューブ５１からチューブ５２の小径孔路５２ｂに挿入され、高周波電極５５の先端が小径孔路５２ｂの先端側の開口から径方向外方へ僅かに突き出ている。そのため、管腔壁にマークを容易に形成することができる。また、作業者が手動又はモータ等でプローブ５を回転させることで、管腔にマークを周方向に連続的に形成することができる。
【００８４】
図７に示す形態と図３に示す形態は、小径孔路５２ｂの形状及びそれに挿入された高周波電極５５の形状以外については同一である。なお、図７に示す形態の場合でも、光学系５８が図４〜図６に示すように構成されていてもよい。
【００８５】
〔プローブの先端部の構造：その３〕
図８を参照して、プローブ５の先端部の別の形態について説明する。図８（ａ）はプローブ５の先端部の断面図であり、図８（ｂ）はプローブ５の先端部の斜視図である。図８に示す形態と図３に示す形態との間で互いに対応する部分には、同一符号を付す。
【００８６】
図８に示すように、プローブ５はインナーチューブ５９を更に備える。
【００８７】
図３に示す形態と同様に、チューブ５２がある程度硬質な可撓性のマルチルーメンチューブである。孔路５２ａ，５２ｂがチューブ５２の先端面５２ｃから基端面までチューブ５２の軸線方向に貫通し、孔路５２ａ，５２ｂの両端がチューブ５２の両端面でそれぞれ開口している。図３に示す形態と同様に、高周波電極５５が小径孔路５２ｂに挿入され、高周波電極５５の先端が小径孔路５２ｂの先端開口から軸線方向へ僅かに突き出ている。図８に示す形態の場合、大径孔路５２ａが第一孔路であり、小径孔路５２ｂが第二孔路である。なお、チューブ５２に形成された小径孔路５２ｂの数が複数であり、高周波電極５５の数も複数であり、高周波電極５５が小径孔路５２ｂにそれぞれ挿入されていてもよい。
【００８８】
インナーチューブ５９が大径孔路５２ａに挿入され、インナーチューブ５９の先端部が大径孔路５２ａの先端開口から突き出ている。インナーチューブ５９がチューブ５２に対して固定されていてもよいし、インナーチューブ５９がチューブ５２に対して固定されずに軸線方向に移動可能となっていてもよい。インナーチューブ５９の外直径は、高周波電極５５の直径よりも大きい。
【００８９】
光ファイバー５７がインナーチューブ５９に挿入され、光ファイバー５７の先端部がフェルール等によってインナーチューブ５９内に保持されている。
【００９０】
光学系５８が一枚又は複数枚のレンズからなり、光学系５８のレンズがレンズホルダ等によってインナーチューブ５９内に保持され、インナーチューブ５９の先端の開口が光学系５８のレンズによって閉塞されている。なお、図８に示す形態の場合でも、光学系５８が図４〜図６に示すように構成され、その光学系５８がインナーチューブ５９内に配設されてもよい。その場合、インナーチューブ５９のうち少なくとも平面反射面５８ａ又は曲面反射面５８ｃの反射方向の部分が投光受光窓として透明であり、大径孔路５２ａの先端開口がキャップによって塞がれている。
【００９１】
図８に示す形態は、プローブ５の先端部が二重管構造になっていて、光ファイバー５７及び光学系５８がインナーチューブ５９内に配設されていることを除いて、図３に示す形態と同一である。
【００９２】
〔プローブの先端部の構造：その４〕
図９を参照して、プローブ５の先端部の別の形態について説明する。図９（ａ）はプローブ５の先端部の断面図であり、図９（ｂ）はプローブ５の先端部の斜視図である。図９に示す形態と図８に示す形態との間で互いに対応する部分には、同一符号を付す。
【００９３】
図９に示すように、光ファイバー５７が挿入されたインナーチューブ５９の外直径が高周波電極５５の直径よりも小さく、インナーチューブ５９がチューブ５２の小径孔路５２ｂに挿入され、高周波電極５５がチューブ５２の大径孔路５２ａに挿入されている。図９に示す形態の場合、小径孔路５２ｂが第一孔路であり、大径孔路５２ａが第二孔路である。
【００９４】
図９に示す形態は、以上に説明したことを除いて、図８に示す形態と同一である。なお、図９に示す形態の場合でも、光学系５８が図４〜図６に示すように構成され、その光学系５８がインナーチューブ５９内に配設されてもよい。
【００９５】
〔プローブの先端部の構造：その５〕
図１０を参照して、プローブ５の先端部の別の形態について説明する。図１０（ａ）はプローブ５の先端部の断面図であり、図１０（ｂ）はプローブ５の先端部の斜視図である。図１０に示す形態と図９に示す形態との間で互いに対応する部分には、同一符号を付す。
【００９６】
図１０に示すように、チューブ５２がマルチルーメンチューブであり、小径孔路５２ｂの数が２であり、これら小径孔路５２ｂがチューブ５２の先端面５２ｃから基端面まで貫通している。また、インナーチューブ５９の数が２であり、インナーチューブ５９が小径孔路５２ｂにそれぞれ挿入されている。光学系５８の数が２であり、光学系５８がインナーチューブ５９内にそれぞれ設けられている。なお、図１０に示す形態の場合でも、光学系５８が図４〜図６に示すように構成され、その光学系５８がインナーチューブ５９内に配設されてもよい。また、小径孔路５２ｂの数が３以上であり、インナーチューブ５９、光学系５８及び光ファイバー５７からなるユニットの数が３以上であり、それらユニットがそれら小径孔路５２ｂにそれぞれ挿入されていてもよい。
【００９７】
光ファイバー５７がそれぞれのインナーチューブ５９に挿入されている。一方のインナーチューブ５９に挿入された光ファイバー５７の本数と他方のインナーチューブ５９に挿入された光ファイバー５７の本数は等しくてもよいし、異なっていてもよい。
【００９８】
図１０に示す形態の場合、小径孔路５２ｂが第一孔路であり、大径孔路５２ａが第二孔路である。
図１０に示す形態は、以上に説明したことを除いて、図９に示す形態と同一である。
【００９９】
〔プローブの先端部の構造：その６〕
図１１を参照して、プローブ５の先端部の別の形態について説明する。図１１（ａ）はプローブ５の先端部の断面図であり、図１１（ｂ）はプローブ５の先端部の斜視図である。図１１に示す形態と図８に示す形態との間で互いに対応する部分には、同一符号を付す。
【０１００】
図１１に示すように、チューブ５２がシングルルーメンチューブであり、大径孔路５２ａがチューブ５２の先端面５２ｃから基端面まで貫通しており、大径孔路５２ａよりも径の小さな孔路がチューブ５２に形成されていない。
【０１０１】
細線状の高周波電極５５が可撓性チューブ５１からチューブ５２の大径孔路５２ａに挿入され、高周波電極５５の先端が大径孔路５２ａの先端側の開口から僅かに突き出ている。
【０１０２】
図８に示す形態の場合と同様に、高周波電極５５よりも太いインナーチューブ５９が大径孔路５２ａに挿入され、光ファイバー５７及び光学系５８がインナーチューブ５９内に配設されている。なお、図１１に示す形態の場合でも、光学系５８が図４〜図６に示すように構成され、その光学系５８がインナーチューブ５９内に配設されてもよい。また、高周波電極５５がインナーチューブ５９よりも太くてもよいし、高周波電極５５とインナーチューブ５９の太さが等しくてもよい。
【０１０３】
図１１に示す形態は、以上に説明したことを除いて、図８に示す形態と同一である。
【０１０４】
〔プローブの先端部の構造：その７〕
図１２を参照して、プローブ５の先端部の別の形態について説明する。図１２（ａ）はプローブ５の先端部を一部破断した状態で示した斜視図であり、図１２（ｂ）はプローブ５の先端部の断面図である。図１２に示す形態と図１１に示す形態との間で互いに対応する部分には、同一符号を付す。
【０１０５】
図１２に示すように、チューブ５２がシングルルーメンチューブであり、大径孔路５２ａがチューブ５２の先端面５２ｃから基端面まで貫通しており、大径孔路５２ａよりも径の小さな孔路がチューブ５２に形成されていない。
【０１０６】
第二チューブ６０がプローブ５の先端に付設されている。第二チューブ６０がシングルルーメンチューブであり、第二チューブ６０の形状が中空（孔路６０ａ）を有する筒状であり、孔路６０ａが第二チューブ６０の基端面から先端面まで軸線方向に貫通している。第二チューブ６０の基端がチューブ５２の先端に接合され、第二チューブ６０がチューブ５２の先端から先方へ延出している。第二チューブ６０はチューブ５２よりも硬質であり、第二チューブ６０の先端が管腔壁等に当たっても、第二チューブ６０が曲がりにくい。第二チューブ６０は、光ファイバー５７や光学系５８を防汚する防汚フードである。
【０１０７】
リング状の防汚カバー６１が第二チューブ６０の先端の内周の全体にわたってその内周面から内側に出っ張るように設けられている。防汚カバー６１がリング状に形作られているから、孔路６０ａの一部である開口６２が防汚カバー６１の内側に形成されている。開口６２が透明な部材によって閉塞されてもよい。防汚カバー６１には、複数の保持孔６３が貫通している。これら保持孔６３が周方向に配列されている。
【０１０８】
略筒状のレンズ保持枠７０がチューブ５２に嵌め込まれている。レンズ保持枠７０がチューブ５２の先端面５２ｃから突出して第二チューブ６０にも嵌め込まれている。レンズ保持枠７０の先端部の内側には、レンズである光学系５８が保持されている。レンズ保持枠７０の内側であって光学系５８の後ろには、フェルール７２が固定されている。複数の光ファイバー５７のうち投光用光ファイバー５７ａ及び受光用光ファイバー５７ｂがフェルール７２に固定されており、投光用光ファイバー５７ａ及び受光用光ファイバー５７ｂの先端面が光学系５８に相対している。投光用光ファイバー５７ａは励起光を導光するものであり、投光用光ファイバー５７ａの先端面によって出射された励起光が光学系５８によって投射されて、開口６２を通過する。励起光によって生体組織から発した放射光が開口６２を通過して、その放射光が光学系５８によって受光用光ファイバー５７ｂの先端面に集光又はコリメートされる。受光用光ファイバー５７ｂは放射光を導光するものである。
【０１０９】
レンズ保持枠７０の外周面には、複数の溝７１が形成されている。これら溝７１は軸線と平行な方向に延びている。更に、これらの溝７１は、保持孔６３に合わせて、レンズ保持枠７０の外周面に沿って周方向に配列されている。
【０１１０】
複数の光ファイバー５７のうち照明用光ファイバー５７ｃが溝７１に嵌め込まれ、照明用光ファイバー５７ｃが溝７１に沿って敷設されている。これら照明用光ファイバー５７ｃが溝７１から突き出て第二チューブ６０に挿入され、照明用光ファイバー５７ｃの先端部が保持孔６３に差し込まれ、照明用光ファイバー５７ｃの先端面が露出している。そのため、これら照明用光ファイバー５７ｃの先端部が周方向に配列されている。複数本の照明用光ファイバー５７ｃによって明るい照明を実現することができる。
【０１１１】
高周波電極５５が溝７１に嵌め込まれ、高周波電極５５が溝７１に沿って敷設されている。高周波電極５５が溝７１から突き出て第二チューブ６０に挿入され、高周波電極５５の先端部が保持孔６３に差し込まれている。高周波電極５５の先端が、保持孔６３から突出している。
【０１１２】
図１２に示す形態は、以上に説明したことを除いて、図１１に示す形態と同一である。
【０１１３】
〔使用手順〕
診断システム１を用いて診断を行う際の使用手順について説明する。
まず、作業者がプローブ５のコネクタ５３，５６をベースユニット６に接続し、プローブ５の動作確認を行う。例えば、照明用光源６ａや励起光光源６ｂの点灯によって、照明光や励起光がプローブ５の先端から投光されるか否か確認したり、高周波電流源６ｄをオンにして高周波電極５５に高周波電流が生じるか否かを確認したりする。
【０１１４】
次に、内視鏡プロセッサ３の照明光源を点灯し、作業者が内視鏡２の挿入部２ａを管腔に挿入して、電子カメラ２ｃによって撮像された画像が表示されている内視鏡表示モニタ４を見ながら、挿入部２ａの先端部を目的の個所まで到達させる。そして、作業者が内視鏡表示モニタ４に表示された画像をもとに光学診断の必要の有無を判断し、必要であれば、作業者がプローブ５を鉗子口２ｈに挿入し、挿入部２ａの先端においてプローブ５の先端部を鉗子用チャネル２ｇから突出させる。作業者がプローブ５を軸線方向に移動させることで、プローブ５の先端部の位置を微調整し、プローブ５の先端を管腔壁の測定個所に当てる。具体的には、チューブ５２又は第二チューブ６０を測定個所に当てるとともに、高周波電極５５の先端を管腔壁の測定個所に押し当てる。管腔が蠕動運動等のように動く場合でも、硬質なチューブ５２や第二チューブ６０を管腔壁に当てることによってプローブ５の先端部の位置が固定される。高周波電極５５の先端の突出量が僅かであるから、高周波電極５５の先端によって管腔壁を傷つける虞がない。
【０１１５】
次に、内視鏡プロセッサ３の照明光源を消灯する。
次に、作業者が入力装置８を操作すると、コンピュータ６ｅが励起光光源６ｂを点灯し、励起光光源６ｂから発した励起光が光ファイバー５７の基端面に入射され、入射された励起光が光ファイバー５７によって先端面まで導光され、導光された励起光が光ファイバー５７の先端面から出射され、出射された励起光が光学系５８によって管腔の生体組織に投射される。その結果、管腔の生体組織から放射光が発する。生体組織から発した放射光が光ファイバー５７の先端面に入射され、入射された放射光が光ファイバー５７によって基端面まで導光され、導光された放射光が光ファイバー５７の基端面から出射される。光ファイバー５７の基端面から出射された光が分光器６ｃに入射される。
【０１１６】
分光器６ｃに入射された放射光が分光器６ｃによって分光されて、放射光の波長ごとの強度が分光器６ｃによって測定される。そして、コンピュータ６ｅが分光器６ｃによって測定されたスペクトルデータから病変の有無や進行度を判断し、その判断結果やスペクトルデータが出力装置７によって出力される。そして、作業者が入力装置８を操作すると、コンピュータ６ｅが励起光光源６ｂを消灯する。
【０１１７】
作業者が出力装置７の出力を見て、測定個所に病変があったり病変の進行度が高かったりすると判断した場合には、作業者が測定個所にマークを形成する。
具体的には、まず、作業者が入力装置８を操作すると、コンピュータ６ｅが照明用光源６ａを点灯する。そうすると、プローブ５の先端部の周辺が照明され、内視鏡表示モニタ４に表示された画像が明るくなる。次に、作業者が入力装置８を操作すると、コンピュータ６ｅが高周波電流源６ｄを起動する。そうすると、高周波電流が高周波電流源６ｄから高周波ケーブル５４を経由して高周波電極５５に供給され、測定個所が高周波電極５５の先端によって電気焼灼されて、測定個所に焦跡（マーク）が形成される。高周波電極５５に高周波電流が通電しても、管腔壁の測定個所を穿孔することなく、電気焼灼による焦跡を管腔壁に形成することができる。なお、入力装置８の操作によって高周波電流源６ｄが起動するのではなく、コンピュータ６ｅによる判断結果が病変の有る旨である場合や病変の進行度が所定閾値以上である場合に、コンピュータ６ｅが高周波電流源６ｄを起動してもよい。
【０１１８】
測定個所に焦跡を付けたら、作業者が入力装置８を操作すると、コンピュータ６ｅが高周波電流源６ｄを停止する。なお、測定個所に病変が無かったり、病変の進行度が低かったりする場合には、マーキングを行わない。
【０１１９】
別の個所の測定を行う場合には、作業者が内視鏡表示モニタ４を見ながら、内視鏡２の挿入部２ａ又はプローブ５を軸線方向に移動させることで、測定個所を変更する。次に、作業者が入力装置８を操作すると、コンピュータ６ｅが照明用光源６ａを消灯する。その後、上述の場合と同様に、励起光光源６ｂを再点灯し、測定個所の病変の有無や進行度を測定し、必要に応じて高周波電流源６ｄを起動して、測定個所に焦跡を付ける。
【０１２０】
以上に説明したように、測定を一回又は複数回行った後、作業者がプローブ５を鉗子口２ｈから引き抜く。そして、測定個所に焦跡を付けた場合には、内視鏡プロセッサ３の照明光源を点灯し、作業者が鉗子を鉗子口２ｈに挿入し、挿入部２ａの先端において鉗子を鉗子用チャネル２ｇから突出させる。そして、作業者が内視鏡表示モニタ４を見ながら、焦跡を付けた測定個所（病変部）を鉗子によって除去する。病変部に焦跡が付いているから、病変部を識別することができ、病変部を正確に除去することができる。
【０１２１】
〔効果〕
以上の実施の形態によれば、以下のような効果を奏する。
【０１２２】
(1)  高周波電極５５がプローブ５の先端部に設けられているから、焦跡（マーク）を管腔壁に形成することができる。焦跡によって測定個所と他の個所を識別することができる。
【０１２３】
(2)  高周波電極５５がプローブ５の先端部に設けられているから、プローブ５を挿入部２ａの鉗子用チャネル２ｇから引き抜かなくても、管腔壁に焦跡（マーク）を形成することができる。特に、焦跡を付ける個所を測定個所と同じ位置にすることができるか、その近傍とすることができる。
【０１２４】
(3)  高周波電極５５がチューブ５２や第二チューブ６０内に収容されているから、高周波電極５５の先端によって管腔壁を傷つける虞がない。
【０１２５】
(4)  高周波電極５５は焼灼により焦跡を管腔壁に形成するものであって、管腔壁を切開するものではない。そのため、高周波電極５５の先端の突出量を必要最小限に抑えることができる。高周波電極５５の突出量が僅かであるから、高周波電極５５の先端によって管腔壁を傷つける虞がない。
【０１２６】
(5)  光学系５８が集光作用又はコリメート作用を有するから、光ファイバー５７の先端面を管腔壁の生体組織に突き当てなくても、投光量・受光量が高く、測定精度が高い。光ファイバー５７の先端面を管腔壁の生体組織に突き当てなくても済むので、管腔壁を光ファイバー５７によって傷つけることはない。
【０１２７】
(6)  光ファイバー５７の先端部がチューブ５２や第二チューブ６０内に収容されているから、管腔壁を光ファイバー５７によって傷つけることはない。
【０１２８】
(7)  高周波電極５５の先端によって管腔壁を傷つけることが無いため、高周波電極５５を細くすることができる。高周波電極５５が細いから、高周波電極５５に高周波電流が通電しても、管腔壁の測定個所を穿孔することなく、電気焼灼による焦跡を管腔壁に形成することができる。
【０１２９】
(8)  高周波電極５５が細いから、チューブ５２や第二チューブ６０内のスペースを光ファイバー５７や光学系５８の設置に有効利用することができる。
【０１３０】
(9)  チューブ５２や第二チューブ６０が硬質であるから、チューブ５２や第二チューブ６０に押し当てることでプローブ５の先端部の位置が固定される。よって、焦跡を付ける位置が測定個所からずれにくい。
【０１３１】
＜第２の実施の形態＞
〔全体構成〕
図１３は、診断システム１Ａの概略構成図である。図１３に示す診断システム１Ａと図１に示す診断システム１との間で互いに対応する部分には、同一符号を付す。
【０１３２】
図１に示す診断システム１では、高周波電流源６ｄがベースユニット６に内蔵されていたが、図１３に示す診断システム１Ａでは、染料供給器６ｈがベースユニット６に内蔵されているか、外付けされている。染料供給器６ｈがシリンジを有し、そのシリンジが液状の染料をプローブ５に供給する。又は、染料供給器６ｈが染料貯留容器及びポンプを有し、染料貯留容器に貯留された染料がポンプによってプローブ５に供給される。又は、染料供給器６ｈが染料貯留容器及びコンプレッサーを有し、染料貯留容器に貯留された染料がコンプレッサーによってプローブ５に圧送される。
【０１３３】
染料供給器６ｈがモータ等によって自動で供給動作を行う場合、染料供給器６ｈがコンピュータ６ｅによって制御される。
【０１３４】
染料供給器６ｈによって供給される染料は、インジコカルミン、メチレンブルー、クリスタルバイオレット、コンゴーレッドその他の色素染料である。
【０１３５】
図１３に示す診断システム１Ａと図１に示す診断システム１は、内視鏡２、内視鏡プロセッサ３、内視鏡表示モニタ４、プローブ５、照明用光源６ａ、励起光光源６ｂ、コンピュータ６ｅ、出力装置７及び入力装置８が同じである。
【０１３６】
図１３に示す診断システム１Ａでは、プローブ５が高周波ケーブル５４の代わりに可撓性の染料流通チューブ５４Ａを有する。染料流通チューブ５４Ａの基端部が染料供給器６ｈに接続されている。染料流通チューブ５４Ａの先端部がチューブ５２の基端部に接続されているか、染料流通チューブ５４Ａの先端寄り部分がチューブ５２の基端部からチューブ５２に挿入されてチューブ５２の先端部まで通されている。染料供給器６ｈが染料流通チューブ５４Ａの基端部に染料を注入し、染料流通チューブ５４Ａの基端部に注入された染料が染料流通チューブ５４Ａによって染料流通チューブ５４Ａの先端部にまで流通される。
【０１３７】
〔プローブの先端部の構成：その１〕
図１４を参照して、プローブ５の先端部の形態について説明する。図１４（ａ）はプローブ５の先端部の断面図であり、図１４（ｂ）はプローブ５の先端部の斜視図である。図１４に示す形態と図３に示す形態との間で互いに対応する部分には、同一符号を付す。
【０１３８】
図１４に示すように、プローブ５のチューブ５２は、図３に示す形態と同様に、ある程度硬質な可撓性のマルチルーメンチューブであり、チューブ５２は大径孔路５２ａ及び小径孔路５２ｂを有する。孔路５２ａ，５２ｂがチューブ５２の先端面５２ｃから基端面までチューブ５２の軸線方向に貫通し、孔路５２ａ，５２ｂの両端がチューブ５２の両端面でそれぞれ開口している。図１４に示す形態の場合、大径孔路５２ａが第一孔路であり、小径孔路５２ｂが第二孔路である。
【０１３９】
チューブ５２の基端部では、染料流通チューブ５４Ａの先端部が小径孔路５２ｂの基端開口に接続されている。なお、染料流通チューブ５４Ａの先端部が小径孔路５２ｂの基端開口に差し込まれていてもよいし、管継手等によって小径孔路５２ｂの基端に接続されていてもよい。
【０１４０】
染料供給器６ｈによって染料流通チューブ５４Ａに染料が供給されると、染料流通チューブ５４Ａを通過した染料が小径孔路５２ｂの基端開口に注入され、その染料が小径孔路５２ｂによって小径孔路５２ｂの基端開口から小径孔路５２ｂの先端開口へ流通され、小径孔路５２ｂの先端開口から染料が吐出される。小径孔路５２ｂの先端開口から吐出された染料が管腔壁の生体組織に付着し、染料の染色によるマークがその生体組織に形成される。つまり、図１４に示す形態では、小径孔路５２ｂがマーキング機構である。
【０１４１】
図１４に示す形態は、高周波電極が小径孔路５２ｂに挿入されていないこと、染料が小径孔路５２ｂを流れること、染料流通チューブ５４Ａの先端が小径孔路５２ｂの基端に接続されていることを除いて、図３に示す形態と同様である。
【０１４２】
図１４に示す形態の場合でも、光学系５８が図４〜図６に示すように構成されていてもよい。
【０１４３】
〔プローブの先端部の構成：その２〕
図１５を参照して、プローブ５の先端部の形態について説明する。図１５（ａ）はプローブ５の先端部の断面図であり、図１５（ｂ）はプローブ５の先端部の斜視図である。図１５に示す形態と図１４に示す形態との間で互いに対応する部分には、同一符号を付す。
【０１４４】
図１５に示す形態では、マーキング機構が染料を吸収するスポンジ等の吸収材８０を有し、小径孔路５２ｂの先端開口が吸収材８０によって塞がれている。その吸収材８０が小径孔路５２ｂから突出している。小径孔路５２ｂの先端開口から吐出された染料が吸収材８０に吸収される。吸収材８０が管腔壁の生体組織に接触することによって、染料の染色によるマークが生体組織に形成される。
【０１４５】
図１５に示す形態は、吸収材８０が小径孔路５２ｂの先端開口に設けられたことを除いて、図１４に示す形態と同一である。なお、図１５に示す形態の場合、大径孔路５２ａが第一孔路であり、小径孔路５２ｂが第二孔路である。
【０１４６】
〔プローブの先端部の構成：その３〕
図１６を参照して、プローブ５の先端部の形態について説明する。図１６（ａ）はプローブ５の先端部の断面図であり、図１６（ｂ）はプローブ５の先端部の斜視図である。図１６に示す形態と図７に示す形態との間で互いに対応する部分には、同一符号を付す。
【０１４７】
図１６に示すように、図７に示す形態と同様に、チューブ５２が硬質なマルチルーメンチューブであり、大径孔路５２ａがチューブ５２の先端面５２ｃから基端面までチューブ５２の軸線方向に貫通し、大径孔路５２ａの両端がチューブ５２の両端面でそれぞれ開口している。一方、小径孔路５２ｂの基端側は、チューブ５２の基端面において開口し、小径孔路５２ｂの先端側は、チューブ５２の先端寄りの周面において開口している。図１６に示す形態の場合、大径孔路５２ａが第一孔路であり、小径孔路５２ｂが第二孔路である。
【０１４８】
チューブ５２の基端側では、染料流通チューブ５４Ａの先端が小径孔路５２ｂの基端に接続されている。なお、染料流通チューブ５４Ａの先端部が小径孔路５２ｂの基端開口に差し込まれていてもよいし、管継手等によって小径孔路５２ｂの基端に接続されていてもよい。
【０１４９】
図１６に示す形態では、小径孔路５２ｂがマーキング機構である。染料供給器６ｈによって染料が染料流通チューブ５４Ａを介して小径孔路５２ｂに供給されると、小径孔路５２ｂの先端側開口まで流通した染料が径方向に吐出される。吐出された染料が管腔壁の生体組織に付着することで、染料の染色によるマークが生体組織に形成される。
【０１５０】
図１６に示す形態は、高周波電極が小径孔路５２ｂに挿入されていないこと、染料が小径孔路５２ｂを流れること、染料流通チューブ５４Ａの先端が小径孔路５２ｂの基端に接続されていること（又は染料流通チューブ５４Ａが小径孔路５２ｂに挿入されていること）を除いて、図７に示す形態と同様である。
【０１５１】
図１６に示す形態の場合でも、小径孔路５２ｂの先端側開口が吸収材によって塞がれていてもよい。また、図１６に示す形態の場合でも、光学系５８が図４〜図６に示すように構成されていてもよい。
【０１５２】
〔プローブの先端部の構成：その４〕
図１７を参照して、プローブ５の先端部の形態について説明する。図１７（ａ）はプローブ５の先端部の断面図であり、図１７（ｂ）はプローブ５の先端部の斜視図である。図１７に示す形態と図８に示す形態との間で互いに対応する部分には、同一符号を付す。
【０１５３】
図１７に示すように、図８に示す形態の場合と同様に、インナーチューブ５９が硬質なチューブ５２の大径孔路５２ａに挿入され、光ファイバー５７がインナーチューブ５９内に挿入されてインナーチューブ５９内に保持され、光学系５８がインナーチューブ５９内に配置されインナーチューブ５９内に保持されている。チューブ５２の基端側では、染料流通チューブ５４Ａの先端が小径孔路５２ｂの基端に接続されている。なお、染料流通チューブ５４Ａの先端部が小径孔路５２ｂの基端開口に差し込まれていてもよいし、管継手等によって小径孔路５２ｂの基端に接続されていてもよい。
【０１５４】
図１７に示す形態の場合、小径孔路５２ｂがマーキング機構である。染料供給器６ｈによって染料が染料流通チューブ５４Ａを介して小径孔路５２ｂに供給されると、小径孔路５２ｂの先端側開口まで流通した染料が径方向に吐出される。吐出された染料が管腔壁の生体組織に付着することで、染料の染色によるマークが生体組織に形成される。
【０１５５】
図１７に示す形態は、高周波電極が小径孔路５２ｂに挿入されていないこと、染料が小径孔路５２ｂを流れること、染料流通チューブ５４Ａの先端が小径孔路５２ｂの基端に接続されていること（又は染料流通チューブ５４Ａが小径孔路５２ｂに挿入されていること）を除いて、図８に示す形態と同様である。なお、図１７に示す形態の場合、大径孔路５２ａが第一孔路であり、小径孔路５２ｂが第二孔路である。
【０１５６】
図１７に示す形態の場合でも、図１５に示す形態の場合と同様に、小径孔路５２ｂの先端開口が吸収材によって塞がれていてもよい。また、図１７に示す形態の場合でも、光学系５８が図４〜図６に示すように構成され、その光学系５８がインナーチューブ５９内に配設されてもよい。また、図１７に示す形態の場合でも、図１６に示す形態の場合と同様に、小径孔路５２ｂの先端側開口がチューブ５２の周面において開口していてもよい。
【０１５７】
なお、小径孔路５２ｂの数が複数であり、染料流通チューブ５４Ａの先端部が分岐し、染料流通チューブ５４Ａの分岐した枝部が複数の小径孔路５２ｂの基端に接続されていてもよい。また、小径孔路５２ｂの数が複数であり、染料流通チューブ５４Ａが分岐し、染料流通チューブ５４Ａの分岐した枝部が複数の小径孔路５２ｂにそれぞれ挿入され、枝部の先端が小径孔路５２ｂの先端開口から突き出ていてもよい。
【０１５８】
〔プローブの先端部の構成：その５〕
図１８を参照して、プローブ５の先端部の形態について説明する。図１８（ａ）はプローブ５の先端部の断面図であり、図１８（ｂ）はプローブ５の先端部の斜視図である。図１８に示す形態と図９に示す形態との間で互いに対応する部分には、同一符号を付す。
【０１５９】
図１８に示すように、図９に示す形態と同様に、光ファイバー５７が挿入されたインナーチューブ５９がチューブ５２の小径孔路５２ｂに挿入されている。また、染料流通チューブ５４Ａが大径孔路５２ａの基端開口から先端開口にかけて大径孔路５２ａに挿入され、染料流通チューブ５４Ａの先端が大径孔路５２ａの先端開口から突出している。
【０１６０】
染料が染料供給器６ｈによって染料流通チューブ５４Ａに供給されると、その染料が染料流通チューブ５４Ａによって染料流通チューブ５４Ａの基端から先端まで流れ、通過した染料が染料流通チューブ５４Ａの先端開口から吐出される。染料流通チューブ５４Ａの先端開口から吐出された染料が管腔壁の生体組織に付着し、染料の染色によるマークがその生体組織に形成される。つまり、図１８に示す形態の場合、染料流通チューブ５４Ａがマーキング機構である。
【０１６１】
染料流通チューブ５４Ａがチューブ５２に対して固定されていてもよいし、染料流通チューブ５４Ａがチューブ５２に対して固定されずに軸線方向に移動可能となっていてもよい。なお、染料流通チューブ５４Ａの先端が大径孔路５２ａに挿入されずに、大径孔路５２ａの基端に接続されていてもよい。
【０１６２】
図１８に示す形態は、高周波電極が大径孔路５２ａに挿入されていないこと、高周波電極の代わりに染料流通チューブ５４Ａが大径孔路５２ａに挿入されていること（又は染料流通チューブ５４Ａの先端が大径孔路５２ａの基端に接続されていること）、染料が染料流通チューブ５４Ａ（又は、染料流通チューブ５４Ａと大径孔路５２ａ）を流れることを除いて、図９に示す形態と同様である。なお、図１８に示す形態の場合、小径孔路５２ｂが第一孔路であり、大径孔路５２ａが第二孔路である。
【０１６３】
図１８に示す形態の場合でも、図１５に示す形態の場合と同様に、染料流通チューブ５４Ａの先端開口が吸収材によって塞がれていてもよい。また、図１８に示す形態の場合でも、光学系５８が図４〜図６に示すように構成され、その光学系５８がインナーチューブ５９内に配設されてもよい。
【０１６４】
〔プローブの先端部の構成：その６〕
図１９を参照して、プローブ５の先端部の形態について説明する。図１９（ａ）はプローブ５の先端部の断面図であり、図１９（ｂ）はプローブ５の先端部の斜視図である。図１９に示す形態と図１０に示す形態との間で互いに対応する部分には、同一符号を付す。
【０１６５】
図１９に示すように、図１０に示す形態と同様に、チューブ５２の小径孔路５２ｂの数が２であり、インナーチューブ５９の数が２であり、インナーチューブ５９が小径孔路５２ｂにそれぞれ挿入されている。光学系５８の数が２であり、光学系５８がインナーチューブ５９内にそれぞれ設けられている。一本又は複数本の光ファイバー５７がインナーチューブ５９に挿入されている。なお、インナーチューブ５９、光学系５８及び光ファイバー５７からなるユニットの数が３以上であり、小径孔路５２ｂの数も３以上であり、それらユニットがそれら小径孔路５２ｂにそれぞれ挿入されていてもよい。
【０１６６】
染料流通チューブ５４Ａが大径孔路５２ａの基端開口から先端開口にかけて大径孔路５２ａに挿入されている。染料流通チューブ５４Ａがチューブ５２に対して固定されていてもよいし、染料流通チューブ５４Ａがチューブ５２に対して固定されずに軸線方向に移動可能となっていてもよい。染料流通チューブ５４Ａの先端が大径孔路５２ａに挿入されずに、大径孔路５２ａの基端に接続されていてもよい。なお、図１９に示す形態の場合、小径孔路５２ｂが第一孔路であり、大径孔路５２ａが第二孔路である。
【０１６７】
図１９に示す形態の場合、染料流通チューブ５４Ａがマーキング機構である。従って、染料が染料供給器６ｈによって染料流通チューブ５４Ａに供給されると、染料が染料流通チューブ５４Ａの先端開口から吐出される。吐出された染料が管腔壁の生体組織に付着し、染料の染色によるマークがその生体組織に形成される。
【０１６８】
図１９に示す形態は、高周波電極が大径孔路５２ａに挿入されていないこと、高周波電極の代わりに染料流通チューブ５４Ａが大径孔路５２ａに挿入されていること（又は染料流通チューブ５４Ａの先端が大径孔路５２ａの基端に接続されていること）、染料が染料流通チューブ５４Ａ（又は、染料流通チューブ５４Ａと大径孔路５２ａ）を流れることを除いて、図１０に示す形態と同様である。
【０１６９】
図１９に示す形態の場合でも、図１５に示す形態の場合と同様に、染料流通チューブ５４Ａの先端開口が吸収材によって塞がれていてもよい。また、図１９に示す形態の場合でも、光学系５８が図４〜図６に示すように構成され、その光学系５８がインナーチューブ５９内に配設されてもよい。
【０１７０】
〔プローブの先端部の構造：その６〕
図２０を参照して、プローブ５の先端部の別の形態について説明する。図２０（ａ）はプローブ５の先端部の断面図であり、図２０（ｂ）はプローブ５の先端部の斜視図である。図２０に示す形態と図１１に示す形態との間で互いに対応する部分には、同一符号を付す。
【０１７１】
図２０に示すように、図１１に示す形態と同様に、チューブ５２がシングルルーメンチューブであり、大径孔路５２ａがチューブ５２に形成され、光ファイバー５７が挿入されたインナーチューブ５９がチューブ５２の大径孔路５２ａに挿入されている。染料流通チューブ５４Ａも大径孔路５２ａの基端開口から先端開口にかけて大径孔路５２ａに挿入され、染料流通チューブ５４Ａ及びインナーチューブ５９の先端が大径孔路５２ａの先端開口から突出している。
【０１７２】
図２０に示す形態では、染料流通チューブ５４Ａがマーキング機構である。従って、染料が染料供給器６ｈによって染料流通チューブ５４Ａに供給されると、染料流通チューブ５４Ａの基端から先端まで流れた染料が染料流通チューブ５４Ａの先端開口から吐出される。染料流通チューブ５４Ａの先端開口から吐出された染料が管腔壁の生体組織に付着し、染料の染色によるマークがその生体組織に形成される。
【０１７３】
染料流通チューブ５４Ａやインナーチューブ５９がチューブ５２に対して固定されていてもよいし、染料流通チューブ５４Ａやインナーチューブ５９がチューブ５２に対して固定されずに軸線方向に移動可能となっていてもよい。
【０１７４】
図２０に示す形態は、高周波電極が大径孔路５２ａに挿入されていないこと、高周波電極の代わりに染料流通チューブ５４Ａが大径孔路５２ａに挿入されていること、染料が染料流通チューブ５４Ａを流れることを除いて、図１０に示す形態と同様である。
【０１７５】
図２０に示す形態の場合でも、図１５に示す形態の場合と同様に、染料流通チューブ５４Ａの先端開口が吸収材によって塞がれていてもよい。また、図２０に示す形態の場合でも、光学系５８が図４〜図６に示すように構成され、その光学系５８がインナーチューブ５９内に配設されてもよい。
【０１７６】
〔プローブの先端部の構造：その７〕
図２１を参照して、プローブ５の先端部の別の形態について説明する。図２１（ａ）はプローブ５の先端部を一部破断した状態で示した斜視図であり、図２１（ｂ）はプローブ５の先端部の断面図である。図２１に示す形態と図１２に示す形態との間で互いに対応する部分には、同一符号を付す。
【０１７７】
図２１に示すように、図１２に示す形態と同様に、チューブ５２及び第二チューブ６０がシングルルーメンチューブであり、チューブ５２の先端に第二チューブ６０の基端が接続され、リング状の防汚カバー６１が第二チューブ６０の先端の内周面に形成され、複数の保持孔６３が防汚カバー６１に形成されている。また、図１２に示す形態と同様に、略筒状のレンズ保持枠７０がチューブ５２及び第二チューブ６０に嵌め込まれ、レンズである光学系５８がレンズ保持枠７０の先端部の内側に保持されている。また、図１２に示す形態と同様に、フェルール７２がレンズ保持枠７０の内側であって光学系５８の後ろに固定され、投光用光ファイバー５７ａ及び受光用光ファイバー５７ｂがフェルール７２に固定されている。また、図１２に示す形態と同様に、照明用光ファイバー５７ｃがレンズ保持枠７０の溝７１に嵌め込まれ、照明用光ファイバー５７ｃの先端部が保持孔６３に差し込まれている。
【０１７８】
高周波電極の代わりに染料流通チューブ５４Ａがチューブ５２及び第二チューブ６０に挿入され、染料流通チューブ５４Ａがレンズ保持枠７０の溝７１に嵌め込まれている。染料流通チューブ５４Ａの先端部が保持孔６３に差し込まれている。
【０１７９】
図２１に示す形態では、染料流通チューブ５４Ａがマーキング機構である。従って、染料が染料供給器６ｈによって染料流通チューブ５４Ａに供給されると、染料流通チューブ５４Ａの基端から先端まで流れた染料が染料流通チューブ５４Ａの先端開口から吐出され、吐出された染料の染色によるマークが管腔壁の生体組織に形成される。
【０１８０】
図２１に示す形態は、高周波電極がチューブ５２及び第二チューブ６０に挿入されていないこと、高周波電極の代わりに染料流通チューブ５４Ａがチューブ５２及び第二チューブ６０に挿入されていること、染料が染料流通チューブ５４Ａを流れることを除いて、図１２に示す形態と同様である。
【０１８１】
〔使用手順〕
診断システム１Ａの使用手順は、染料によって管腔壁の生体組織を染色することによってその管腔壁の生体組織にマークを形成することを除いて、診断システム１の使用手順と同じである。
【０１８２】
管腔壁の生体組織にマークを形成する際には、染料供給器６ｈによって染料を染料流通チューブ５４Ａに注入する。具体的には、染料供給器６ｈが手動シリンジである場合には、作業者がその手動シリンジのピストンを押すことで、染料供給器６ｈによって染料が染料流通チューブ５４Ａに注入される。一方、染料供給器６ｈがアクチュエータで動作する場合、作業者が入力装置８を操作することによって、コンピュータ６ｅが染料供給器６ｈを駆動して、染料供給器６ｈによって染料が染料流通チューブ５４Ａに注入される。
【０１８３】
図１４〜図１７に示す形態の場合、染料が小径孔路５２ｂの先端開口まで送られると、小径孔路５２ｂの先端開口から染料が吐出され、吐出された染料が管腔壁の生体組織に付着することで、管腔壁の生体組織が染色される。図１８〜図２１に示す形態の場合、染料が染料流通チューブ５４Ａの先端開口まで送られると、染料流通チューブ５４Ａの先端開口から染料が吐出され、吐出された染料が管腔壁の生体組織に付着することで、管腔壁の生体組織が染色される。なお、小径孔路５２ｂの先端開口や染料流通チューブ５４Ａの先端開口が吸収材８０によって塞がれている場合、染料を吸収した吸収材８０を管腔壁に当てると、吸収材８０に吸収した染料が管腔壁の生体組織に付着することで、管腔壁の生体組織が染色される。
【０１８４】
〔効果〕
以上の実施の形態によれば、以下のような効果を奏する。
(1)  図１４、図１５及び図１７に示す形態の場合、小径孔路５２ｂの先端開口がチューブ５２の先端面５２ｃに形成されており、図１６に示す形態の場合、小径孔路５２ｂの先端開口がチューブ５２の先端寄りの周面に形成されているから、染料の染色によるマークを管腔壁に形成することができる。図１８〜図２１に示す形態の場合でも、染料の染色によるマークを管腔壁に形成することができる。マークによって測定個所と他の個所を識別することができる。
【０１８５】
(2)  プローブ５を鉗子用チャネル２ｇから引き抜かずとも、染料の染色によるマークを測定個所に形成することができるとともに、マークの位置を測定個所と同じ位置又はその近傍にすることができる。
【０１８６】
(3)  図１４〜図１７に示す形態の場合、チューブ５２がマルチルーメンチューブであって、小径孔路５２ｂの先端開口から硬質な部材が突出していないから、管腔壁を傷つけることがない。
図１８〜図２１に示す形態の場合、染料流通チューブ５４Ａの先端がチューブ５２の先端面５２ｃ（又は第二チューブ６０の先端面）に揃っていたり、引き込んでいたりすると、染料流通チューブ５４Ａの先端によって管腔壁を傷つけることがない。
図１８〜図２１に示す形態の場合、染料流通チューブ５４Ａの先端がチューブ５２や第二チューブ６０の先端面から突き出ていても、染料流通チューブ５４Ａが可撓性であるから、染料流通チューブ５４Ａの先端によって管腔壁を傷つける虞がない。
【０１８７】
(4)  光ファイバー５７の先端部がチューブ５２や第二チューブ６０内に収容されており、光学系５８が集光作用又はコリメート作用を有するから、光ファイバー５７の先端面を管腔壁の生体組織に突き当てなくても済む。そのため、管腔壁を光ファイバー５７によって傷つけることがない。
【０１８８】
(5)  染色によって管腔壁に生体組織にマークを形成するから、管腔壁を傷つけることがない。
【符号の説明】
【０１８９】
１、１Ａ  診断システム
５  プローブ
６ｂ  励起光用光源
６ｃ  分光器
６ｄ  高周波電流源
５２  先端チューブ
５２ａ  大径孔路
５２ｂ  小径孔路
５４  高周波ケーブル
５４Ａ  染料流通チューブ
５５  高周波電極
５７  光ファイバー
５８  光学系
５８ａ  平面反射面
５８ｂ  レンズ
５８ｃ  曲面反射面
５９  インナーチューブ
６０  第二先端チューブ
６１  防汚カバー
６３  保持孔
【図１】
2012239669.tif 000003
【図２】
2012239669.tif 000004
【図３】
2012239669.tif 000005
【図４】
2012239669.tif 000006
【図５】
2012239669.tif 000007
【図６】
2012239669.tif 000008
【図７】
2012239669.tif 000009
【図８】
2012239669.tif 000010
【図９】
2012239669.tif 000011
【図１０】
2012239669.tif 000012
【図１１】
2012239669.tif 000013
【図１２】
2012239669.tif 000014
【図１３】
2012239669.tif 000015
【図１４】
2012239669.tif 000016
【図１５】
2012239669.tif 000017
【図１６】
2012239669.tif 000018
【図１７】
2012239669.tif 000019
【図１８】
2012239669.tif 000020
【図１９】
2012239669.tif 000021
【図２０】
2012239669.tif 000022
【図２１】
2012239669.tif 000023